(57)【要約】  吸収性物品は、約０．５〜約０．８５の製品長さ対臀部シルエット、及び約０．５〜約０．９の製品長さ対腰部シルエットを有し得る。吸収性物品の群は、約０．５〜約０．９の群平均の製品長さ対腰部シルエットを有し得る。
2020525085.tif 000002
【特許請求の範囲】
【請求項１】
トップシートと、バックシートと、吸収性コアと、を含む中央シャーシを有する吸収性物品であって、
前側腰部領域及び前側腰部縁部と、
後側腰部領域及び後側腰部縁部と、
前記前側腰部領域内に配置された前側ベルトと、
前記後側腰部領域内に配置された後側ベルトと、を含み、
前記前側ベルトと前記後側ベルトとがシームで接合されて、腰部開口部及び脚部開口部を形成し、
前記物品が、約０．５〜約０．９の製品の長さ対腰部シルエットを有し、
前記物品が、約０．５〜約０．８５の製品の長さ対臀部シルエットを有する、吸収性物品。
【請求項２】
トップシートと、バックシートと、吸収性コアと、を含む中央シャーシを有する吸収性物品であって、
前側腰部領域及び前側腰部縁部と、
後側腰部領域及び後側腰部縁部と、
前記前側腰部領域内に設けられた前側ベルトと、
前記後側腰部領域内に設けられた後側ベルトと、を含み、
前記前側ベルトと前記後側ベルトとがシームで接合されて、腰部開口部及び脚部開口部を形成し、
前記物品が、０．５〜約０．８５の製品の長さ対臀部シルエット、及び約２６０ｍｍ未満の弛緩製品長さを有する、吸収性物品。
【請求項３】
トップシートと、バックシートと、吸収性コアと、を含む中央シャーシを有する吸収性物品であって、
前側腰部領域及び前側腰部縁部と、
後側腰部領域及び後側腰部縁部と、
前記前側腰部領域内に配置された前側ベルトと、
前記後側腰部領域内に配置された後側ベルトと、を含み、
前記前側ベルトと前記後側ベルトとがシームで接合されて、腰部開口部及び脚部開口部を形成し、
前記物品が、０．６〜約０．７の製品の長さ対臀部シルエットを有する、吸収性物品。
【請求項４】
前記前側及び後側ベルトが有孔フィルムを含む、請求項１〜３のいずれか一項に記載の吸収性物品。
【請求項５】
前記吸収性コアが、セルロース繊維及び吸収性ゲル化材料を含む、請求項１〜４のいずれか一項に記載の吸収性物品。
【請求項６】
前記シームが再締結可能である、請求項１〜５のいずれか一項に記載の吸収性物品。
【請求項７】
複数のカフ弾性体が、前記バックシートのフィルム層と前記バックシートの不織布層との間に配置されている、請求項１〜６のいずれか一項に記載の吸収性物品。
【請求項８】
前記製品の長さ対腰部シルエットが、約０．５５〜約０．８５である、請求項１、２、４〜７のいずれか一項に記載の吸収性物品。
【請求項９】
前記後側ベルトが、前記シームに隣接する前記前側ベルトよりも大きい長手方向長さを有する、請求項１〜８のいずれか一項に記載の吸収性物品。
【請求項１０】
前記前側及び後側ベルトが、内側及び外側不織布、並びにそれらの間に挟まれたエラストマーストランドを含む、請求項１〜９のいずれか一項に記載の吸収性物品。
【請求項１１】
前記前側及び後側ベルトが、内側及び外側不織布、並びにそれらの間に挟まれたエラストマー有孔フィルムを含む、請求項１〜９のいずれか一項に記載の吸収性物品。
【請求項１２】
前記前側及び後側ベルトの前記外側不織布が、前記吸収性物品の前記前側腰部縁部から前記後側腰部縁部まで連続的である、請求項１〜１１のいずれか一項に記載の吸収性物品。
【発明の詳細な説明】
【技術分野】
【０００１】
本開示は、異なる身体のサイズ、体形、及び体格に、下着と一致する形でフィットするように設計された、使い捨て吸収性物品、及び使い捨て吸収性物品の群を目的とする。
【背景技術】
【０００２】
０．８５未満及び更には０．７未満の製品長さ対臀部シルエットを有することの主要な効果の１つに、身体の形状とより密接に一致し、かつ通常の下着とより密接に一致する物品が与えられることがある。更に、約０．９未満の製品長さ対腰部シルエットによってもまた、身体の形状と密接に一致する製品が与えられる。その結果、製品は、現在市販されている製品に見られるように、より大きな範囲にフィットするように一般的に設計された製品と比較して、着用中のその変形の大きさは大幅に小さくなる。その結果、製品は、現在市販されている製品に見られるように、より大きな範囲にフィットするように一般的に設計された製品と比較して、着用中のその変形の大きさは大幅に小さくなる。またその結果、身体の形状により合った製品のフィット性が得られ、股部においてより効果的なガスケット作用が与えられ、余分の材料がより少なくなる。加えて、身体の全体的な形状を模倣する製品設計は、製品長さ対臀部シルエットが消費者の本体長さ対臀部シルエットにより近くなり、製品長さ対腰部シルエットが消費者の本体長さ対腰部シルエットに近くなるため、より良好かつより適合したフィット感を消費者に伝える。本開示によって可能となる設計は、設計的により的を絞っており、したがって、より高いレベルのフィット感、ガスケット作用、快適性、及び最も重要な点として目立たなさを提供する。
【０００３】
本開示の吸収性物品は、人間の身体からの液体及び他の排泄物を吸収し、封じ込めて、身体及び衣服が汚れるのを防ぐために使用され得る。夜尿症を含む尿失禁を有する着用者では、尿が高流量及び高体積になる場合があり得る。所定の製品長さ対臀部シルエット比を有する本開示の吸収性物品は、製品（特に製品のガスケット）を着用者に固定し、それによって、より高い流量及び／又はより高い体積においても漏れを防止するのに役立つ、より適合された、解剖学に基づいたフィット性を有する。
【０００４】
吸収性物品は、それぞれが典型的には２つ、３つ、及び４つのサイズ群などの複数のサイズで入手可能である、様々な設計で提供される。従来技術の物品のサイズは、典型的には、例えば、腰部開口部のサイズ、大腿部の周りの開口部のサイズ、及び物品の長さ又は「ピッチ」に影響を及ぼす。従来技術の物品は、典型的には、体重によってサイズ決めされ、販売されている。消費者が、様々な体重に関連付けられたサイズ及び形状の多くのバリエーションのみを考慮した、着用者の体重に基づいて適切なサイズである、従来技術の吸収性物品を選択した場合、例えば、物品の大腿部開口部又はピッチが大きすぎて着用者に対する適切なフィットが得られない場合があり、結果として、滑り、摺動、たるみ、垂下、又は漏れを阻止するように設計されたガスケット効果の喪失をもたらす可能性がある。あるいは、着用者がサイズ範囲内にある場所によっては、物品の大腿部開口部又はピッチが小さすぎて適切なフィットが得られない場合があり、結果として、着用者の不快感、着用者の皮膚の皮膚痕、又は着用者上への物品の不適切な適用若しくは位置決めにつながる可能性がある。
【０００５】
望ましくは、吸収性物品は、着用者の身体との接触を維持し、着用者の身体に可能な限り密接して形状が一致するように設計及びサイズ設定されるべきである。そのような身体との形状が一致した設計は、尿などが着用者の身体に沿って広がり又は進み、吸収性物品に吸収されるのではなく吸収性物品から漏れる可能性を低減させることによって、吸収性物品の有効性を高めることができる。しかしながら、市販されている現在の吸収性物品は、体形又は製品形状に適切に対応しておらず、したがって広い範囲のユーザーに適切にフィットしないか、又は所望のレベルの密接なフィットを提供しない。典型的には、吸収性物品のパッケージには、パッケージ化された物品がフィットすることを意図した、推奨される着用者の体重範囲が表示されている。その結果、体重範囲は、吸収性物品のサイズを特定するために使用される唯一の基準であることが多い。体重は、それ自体では個人の体形を的確に説明しないので、物品の適切なフィット、快適性、被覆性、及びガスケット作用を与えるうえで必要とされ得る腰部又は太腿周りもピッチも定義する助けとはならない。潜在的な着用者の他の特徴及び人体測定の特性（例えば、年齢、身長、臀部周り、腰部周り、大腿部周り、及び股上）は、推奨される体重範囲内で広く異なり得、着用者の体重がその範囲内であっても身体に合わない物品をもたらし得るので、これは事実である。様々な着用者の体形及びサイズによく一致する吸収性物品が必要とされている。着用者間で体形及びサイズは広範囲で異なるが、市販の製品はこの広い範囲を反映していない。むしろ、所与の製品群内で今日入手利用可能な吸収性物品は、相互の縮小／拡大されたバージョンである傾向があり、また、体形の自然な傾向及び広い層の消費者にわたる寸法変化（すなわち、より小さい着用者からより大きい着用者まで、並びに様々な体形の着用者）に追従していない。
【０００６】
今日、世界中で販売されている多くの下着の形態が存在しており、これらは、ガールズビキニ、ガールズヒップスター、ガールズブリーフ、及びガールズボーイショーツ、ボーイズローライズブリーフ、ボーイズブリーフ、及びボーイズボクサーブリーフのグループに大まかに特徴付けることができる。これらの様々な下着の形態は、着用者に個人の選択肢を提供して、着用者が望む正しいフィット感、快適性のレベル、被覆度、及び外観を着用者が見出すのを可能にするために存在する。使い捨て吸収性物品から実際の下着への移行は、全ての介護者及び吸収性物品の着用者が達することを待望する節目である。尿及び／又はＢＭのトレーニング段階で困難を有する着用者、特別なニーズを有する着用者、及び夜尿症に悩まされている着用者にとって、この節目は、達成することが非常に困難である。これらの個人がこの節目を達成できないことは、多大な情緒的影響を及ぼし得る。
【発明の概要】
【発明が解決しようとする課題】
【０００７】
したがって、形状、フィット感、及び外観が下着とより密接に一致すると同時に、優れた漏れ性能、保護、及び信頼性を提供する吸収性物品を作製するという、長年にわたって満たされていない消費者の大きなニーズが存在する。この長年にわたる消費者のニーズは、本開示の基礎をなすものである。本開示では、解剖学的構造とより密接に一致する製品を提供する、及び制御不能な失禁に悩んでいる消費者に、より下着に近い体験を与える製品パラメータに変換される、主要な解剖学的パラメータを利用する。本開示の吸収性物品は、これらの失禁に苦しんでいる人に、ある程度の日常及び安心感を与える助けとなるものである。
【０００８】
これらは全て、本開示の目的であり、本開示の実施形態は、言及した様々な目的を組み合わせることができる。特定のある実施形態は、記載した全ての目的を具現化し得る（ただしそうである必要はない）。
【課題を解決するための手段】
【０００９】
吸収性物品は、トップシートと、バックシートと、吸収性コアとを含む中央シャーシを有し得る。吸収性物品は、前側腰部領域及び前側腰部縁部と、後側腰部領域及び後側腰部縁部と、前側腰部領域内に配置された前側ベルトと、後側腰部領域内に配置された後側ベルトとを含み得る。前側ベルトと後側ベルトとは、シームで接合されて腰部開口部及び脚部開口部を形成する。物品は、約０．５〜約０．８５の製品長さ対臀部シルエット、及び約０．５〜約０．９の製品長さ対腰部シルエットを有し得る。吸収性物品は群内に提供されてもよく、その場合、吸収性物品と同様に、それぞれが、約０．５〜約０．８５の製品長さ対臀部シルエット、及び約０．５〜約０．９の製品長さ対腰部シルエットを有し、群の製品長さ対臀部シルエットの平均は約０．５〜約０．８５であり、群の製品長さ対腰部シルエットの平均は約０．５〜約０．９である。
【図面の簡単な説明】
【００１０】
【図１】体形に対する本体股上及び腰部周りを示す。
【図２】本体股上対腰部周り比の平均比が体重が増加するにつれてどのように変化するかを示すグラフである。
【図３】身体形状に対する本体長さ及び腰部幅を示す。
【図４ａ】図１２の線４ａ／ｂ−４ａ／ｂに沿った概略断面図である。
【図４ｂ】図１２の線４ａ／ｂ−４ａ／ｂに沿った概略断面図である。
【図５】平均本体長さ対腰部シルエットが体重が増加するにつれてどのように変化するかを示すチャートである。
【図６】その弛緩状態にある、閉じた形態のパンツ型製品を示す。
【図７】その弛緩状態にある、閉じた形態のボクサーパンツ型製品を示す。
【図８】体形の変動を示す。
【図９】既存の製品群の例、及び、それらの製品長さ対腰部シルエットが、各製品のフィットの対象となる体重の本体長さ対腰部シルエットにどれだけ匹敵するかを示すグラフである。
【図１０】本発明の製品群の例、及び、それらの製品長さ対腰部シルエットが、各製品のフィットの対象となる体重の本体長さ対腰部シルエットにどれだけ匹敵するかを示すグラフである。
【図１１】前側及び後側腰部領域内に連続したベルトを有する、開いた形態で平らに置かれた図７の吸収性物品の平面図である。
【図１２】前側及び後側腰部領域内に連続したベルトを有する、開いた形態で平らに置かれた吸収性物品の平面図である。
【図１３】一対のフラップを有する、開いた形態で平らに置かれたパンツ型おむつの部分切欠平面図であり、おむつの、着用者に面する内部が、観察者に面している。
【図１４】前側及び後側フラップを有する、開いた形態で平らに置かれたパンツ型おむつの部分切欠平面図であり、おむつの、衣類に面する外部が、観察者に面している。
【図１５】ベルトが対向する腰部領域を接続している、閉じた形態の図１２に示すパンツ型おむつの斜視図である。
【図１６】フラップが対向する腰部領域を接続している、閉じた形態の図１３に示すパンツ型おむつの斜視図である。
【図１７】サイドシームがフラップ及び対向する腰部領域を接続している、閉じた形態の図１４に示すパンツ型おむつの斜視図である。
【図１８】折り畳まれた外側レッグカフの実施例の、図１３の線１８−１８に沿った概略断面図である。
【図１９】図１２の線１９−１９に沿った、後側ベルト状フラップの概略断面図である。
【図２０】サンプルホルダー装置のバーＣ（３０４）及びバーＯ（３０５）を示す。
【図２１】その弛緩状態にある、閉じた形態のパンツの正面図である。
【図２２】引張試験装置内のパンツの正面図である。
【図２３】着用者の表現にフィットされたパンツの正面図であり、パンツは腰部より高く（図２４のパンツに対して）フィットし、腰部縁部はへその上方にフィットしている。
【図２４】図２３と着用者の同じ表現にフィットされたパンツの正面図であり、パンツは腰部より低くフィットし、腰部縁部はへその下方にフィットしている。
【図２５】既存の製品群の例、及び、それらの製品長さ対臀部シルエットが、各製品のフィットの対象となる本体長さ対臀部シルエットにどれだけ匹敵するかを示すグラフである。
【図２６】本発明の製品群の例、及び、それらの製品長さ対臀部シルエットが、各製品のフィットの対象となる本体長さ対臀部シルエットにどれだけ匹敵するかを示すグラフである。
【発明を実施するための形態】
【００１１】
「プルオン衣類」又は「パンツ」とは、画定された腰部開口部及び一対の脚部開口部を有する着用物品であって、脚部開口部の中に脚を挿入して腰部上方へと物品を引っ張り上げることによって、着用者の身体上へと引っ張り上げられる、着用物品を指す。
【００１２】
「使い捨て」とは、洗濯、又は別の方法で衣類として復元若しくは再利用することを目的としない衣類（すなわち、それらは１回使用後に廃棄されることを目的とし、リサイクルされる、堆肥化される、ないしは別の方法で環境に適した方式で処理されることを目的とする）を意味する。プルオン衣類は、身体から排出された様々な排出物を吸収し封じ込めるように「吸収性」であり得る。
【００１３】
「閉じた形態」とは、連続した腰部開口部及び脚部開口部を形成するために、対向する腰部領域が結合されていることを意味する。図６、図７、及び図１５〜図１７を参照のこと。
【００１４】
「群」とは、同様の物品構造（例えば、フラップのエラストマー材が［組成的に及び／又は構造的に］同じである、図形的要素が同じである）を有する、異なるサイズの使い捨て物品を含むパッケージの陳列を意味し、上記パッケージは、同じブランド及び／又は下位ブランドを有し、上記パッケージは、小売店の所定の領域で互いの近くに並べられている。群は、顧客に、通常、異なる個々のパッケージがより大規模ラインナップの一部分であることを伝える類似のパッケージ要素（例えば、パッケージの材料種類、フィルム、紙、主要色、設計主題など）を有する製品ラインアップとして市販されている。群は、しばしば例えば、「Ｈｕｇｇｉｅｓ」のような同じブランド、及び例えば「ＧｏｏｄＮｉｔｅｓ」のような同じ下位ブランドを有する。異なる群は、ブランド「Ｈｕｇｇｉｅｓ」及び下位ブランド「Ｐｕｌｌ−Ｕｐｓ」を有し得る。「ＧｏｏｄＮｉｔｅｓ」群と「Ｐｕｌｌ−Ｕｐｓ」群との間の違いとしては、例えば、サイドシームが異なることを挙げることができ、「Ｇｏｏｄ  Ｎｉｇｈｔｓ」は、恒久的に閉じた側部を含み、「Ｐｕｌｌ−Ｕｐｓ」は、再締結可能なサイドシームを含む。更に、パッケージは、「ＧｏｏｄＮｉｔｅｓ」が、男児用には主に青色のフィルムバッグ、及び女児用には主にピンクのフィルムバッグに包装されており、「Ｐｕｌｌ−Ｕｐｓ」が、男児用には主に青色のフィルムバッグ、及び女児用には主にピンクのフィルムバッグに包装されてという点で、明らかに異なっている。重要な違いは、パッケージに表示された着用者であり、ＧｏｏｄＮｉｔｅｓパッケージには、Ｐｕｌｌ−Ｕｐｓパッケージの子供よりも年長の子供が表示されている。
【００１５】
群はまた、ブランド、下位ブランド、並びに／あるいはラインアップにわたる特徴及び／又は有益性の商標など、同じ商標をしばしば有する。
【００１６】
「オンライン群」とは、共通のオンラインソースによって流通される「群」を意味する。
【００１７】
「臀部周り」とは、尻部の最大後部突出部の高さでの、身体の外周を意味する。図１を参照のこと。
【００１８】
「臀部幅」とは、臀部における身体の前側の水平距離を意味し、臀部は、横から見たときの尻部の最大突出点と同じ高さに規定される。図３を参照のこと。
【００１９】
「本体長さ」は、矢状面における股の最大深さによって決定される、へそから股の最大深さまでの垂直距離を意味する。図３を参照のこと。
【００２０】
「腰部周り」とは、へその中心（へそ点）の高さでの、腰部の水平周囲を意味する。
【００２１】
「本体股上」とは、股部を通して、尻部の中央にわたって測定されたへその高さでの、へそ点（へその中心）から対象の背中までの表面距離を意味する。図１を参照のこと。
【００２２】
「本体股上対臀部周り比」とは、本体股上（ｍｍ）を臀部周り（ｍｍ）で割った値を意味する。図１を参照のこと。
【００２３】
「本体長さ対臀部シルエット」とは、本体長さ（ｍｍ）を臀部幅（ｍｍ）で割った値を意味する。図３を参照のこと。
【００２４】
「製品長さ対臀部シルエット」とは、弛緩製品長さ（３００）（ｍｍ）を弛緩製品臀部幅（３０１）（ｍｍ）で割った値を意味する。図６及び図７を参照のこと。
【００２５】
「群平均の製品長さ対臀部シルエット」とは、製品群で提供される各サイズの平均の製品長さ対臀部シルエットを意味する。例えば、Ｄｅｐｅｎｄ  Ｕｎｄｅｒｗｅａｒ  ｆｏｒ  Ｗｏｍｅｎ（最大吸収力）は、小／中、大、及び特大の３つのサイズの群で市場で販売されている。群平均の製品長さ対臀部シルエットは、小／中サイズの製品長さ対臀部シルエット、大サイズの製品長さ対臀部シルエット、及び特大サイズの製品長さ対臀部シルエットの平均である。表１ａ及び１ｂは、いくつかの現在市販されている製品群の製品長さ対臀部シルエットの例を示す。
【００２６】
「弛緩製品長さ」は、股領域における長手方向に最も遠位の点と前側腰部縁部に沿って長手方向に最も遠位の点との間の長手方向距離を意味する。長手方向距離は、製品の長手方向軸線と平行に測定される。図６及び図７を参照のこと。
【００２７】
「弛緩製品臀部幅」は、左脚部開口部の上部縁部における製品の左側縁部の横方向最遠位点から、右脚部開口部の上部縁部における製品の右側縁部の横方向最遠位点までの横方向距離を意味する。図６及び図７を参照のこと。横方向距離は、製品の長手方向軸線に対して垂直に測定される。
【００２８】
「弛緩製品腰部幅」は、前側腰部縁部の右側における最も遠位の点から前側腰部縁部の左側における最も遠位の点までの横方向距離を意味する。横方向距離は、製品の長手方向軸線に対して垂直に測定される。図６及び図７を参照のこと。
【００２９】
「弛緩製品側部長さ」とは、製品の腰部縁部と側縁部との交点から、脚部開口部の頂部と製品の同じ側縁部との交点までの直線距離を意味する。弛緩製品側部長さの測定値は、製品の左側部及び右側部の測定値の平均である。図６及び図７を参照のこと。
【００３０】
尿失禁症である消費者、特に、夜尿症を有する消費者は、多くの場合、その症状がトラウマとなっている。公衆の面前で失禁事象が起きることに対する恐怖など、症状の多くの側面がトラウマの一因となる。吸収性物品を着用しているときでさえもなお、漏れの恐怖、及び着用者の衣服の下の着用者の吸収性物品が目立つのではないかという恐怖が依然として存在する。このため、より下着に近い、薄くて、身体の形状と一致する構造体を、全重量／年齢範囲にわたって提供することによって、症状を正常化するのに役立つ製品体験を提供することが、本開示の目的の１つである。
【００３１】
図８は、各重量範囲内に存在し得る様々な具体的な体形、すなわち、長方形型（円筒形型としても知られる）、砂時計型、洋ナシ型、及びリンゴ型を示している。着用者は通常、体重が重いほど、この体型スケールの更に右側に向かって（リンゴ型に向かって）進む。これらの体形の出現率は、重量の範囲にわたって異なり、例えば、より体重の重い女性は、リンゴ型又は洋ナシ型の体形になる傾向がより高くなる。吸収性物品は、着用者と着用者固有の体形又はサイズに最も合う物品とをマッチさせるために、正確な体重値に焦点を合わせるのではなく（これは消費者に不快感を起こさせる可能性がある）、特定の体形（例えば、リンゴ型）の着用者に向けて販売されてもよい。
【００３２】
より良好にフィットし、よりぴったりと一致する、より良好なガスケット製品を実現するために、製品長さ対臀部シルエットをターゲット消費者の本体長さ対臀部シルエットに関連付けることが望ましい。これにより、各消費者に対する着用の快適さを高めながら、漏れを低減させることができる。加えて、順次大きくなる各サイズの製品長さ対臀部シルエットが、順次大きくなる各サイズの本体長さ対臀部シルエットと同じ一般的な傾向にしたがう製品群は、消費者それぞれのサイズ又は体形にかかわらず、より良好にフィットし、よりぴったりと一致し、より良好なガスケット作用を有する物品を各消費者に提供することができる。更に、より良好にフィットし、よりぴったりと一致し、より良好なガスケット作用を有する製品を実現するために、製品長さ対腰部シルエットを、ターゲット消費者の本体長さ対腰部シルエットに関連付けることが望ましい。
【００３３】
本体股上及び腰部周りの身体測定を図１に示す。本体股上対腰部周りの比と体重との関係を図２に示す。本体長さ及び腰部幅の測定を投影した体形を図３に示す。本体長さ対腰部シルエットと体重の関係を図５に示す。図２及び図５は、本体股上対腰部周りと体重との間に相関関係があり、本体長さ対腰部シルエットと体重との間に相関関係があることを示す。
【００３４】
図９は、これらの群の製品長さ対腰部シルエットと消費者の本体長さ対腰部シルエットとの比較を示す。これらの比較例の群では、それらの製品長さ対腰部シルエットは、それらのターゲット消費者のものと一致しないことが分かるだけではなく、既存の製品群のサイズ間の傾向は、製品長さ対腰部シルエットが、消費者の本体長さ対腰部シルエットのように小さくなるのではなく、大きくなっていることも分かる。このミスマッチの結果、これらの製品は、多くの体重範囲にわたって、同じ体重範囲にわたって身体測定値に沿って設計された製品よりも低いレベルのフィット性、快適性、被覆性、及びガスケット作用を提供する。
【００３５】
吸収性物品
本開示の吸収性物品は、概して、尿、経血、糞便、又は他の膣分泌物などの排泄物を管理するように設計及び構成される。
【００３６】
一実施形態において、吸収性物品は、トップシート、バックシート、及びトップシートとバックシートとの間に少なくとも一部が配置される吸収性コアを含むシャーシを含み得る。吸収性シャーシは、ウエストバンド、レッグカフ及び／又は弾性ストランドを含み得る。様々な実施形態において、図１２を参照すると、吸収性物品１０の例が、締結要素５３ａ及びｂが接合される前のその平らな非収縮状態で示されている。
【００３７】
一実施形態では、図１２を参照すると、吸収性物品１０の一方の端部は前側腰部領域３６として構成することができ、長手方向に対向する端部は後側腰部領域３８として構成することができる。前側腰部領域３６と後側腰部領域３８との間で長手方向に延びる吸収性物品１０の中間部分は、股部領域３７として構成することができる。前側腰部領域３６、後側腰部領域３８、及び股部領域３７のそれぞれの長さは、例えば、図１３及び図１４に示されるように、吸収性物品１０の長さの約１／３であってもよい（図１２に示されるように前側及び後側ベルトと一致するのに対して。他の実施形態において、前側腰部領域３６、後側腰部領域３８、及び股部領域３７のそれぞれの長さは、他の寸法を有してもよい。様々な実施形態において、吸収性物品１０は、前側腰部領域３６において横方向に延びる前側腰部端縁部１３６、及び長手方向に対向しかつ後側腰部領域３８において横方向に延びる後側腰部端縁部１３８を有し得る。
【００３８】
多くの現在のプルオンパンツ型吸収性物品は、フルカットのブリーフ型下着と寸法的に近いブリーフスタイルの設計を有する。このようなブリーフスタイルの物品は、着用者の腰部のへその位置において、かつ脚部及び臀部の高さの側部に沿ってフィットするように設計されている。これらの製品の全ては、腰部において過剰な長さを有する（図２４と比べて腰部においてより長い長さを有する、より低い腰部プロファイルを有する物品を示す図２３を参照のこと）。前側（及び後側−図示せず）腰部縁部１３６が着用者４００のへそ４０２の上方に装着される、図２３に示されるようなパンツ設計は、更なる固定を与えることができるが、前側（及び後側−図示せず）腰部縁部１３６が着用者４００のへそ４０２の下方に装着される、図２４に示されるようなパンツ設計ほど目立たなくはない場合がある。
【００３９】
一実施形態において、図１２を参照すると、吸収性物品１０のシャーシ１００は、第１の長手方向に延在する側縁部１３７ａと、横方向に対向する第２の長手方向に延在する側縁部１３７ｂとを含み得る。側縁部１３７はいずれも、前側腰部端縁部１３６と後側腰部端縁部１３８との間で長手方向に延びてよい。シャーシ１００は、前側腰部領域３６内の横方向に延びる前側腰部端縁部１３６の一部、及び長手方向においてその反対側にありかつ後側腰部領域３８内で横方向に延びている、後側腰部端縁部１３８の一部を形成してもよい。更に、シャーシ１００は、内面１０２、外面１０４、長手方向軸４２、及び横方向軸４４を含み得る。長手方向軸４２が、前側腰部端縁部１３６の中点を通り、かつ後側腰部端縁部１３８の中点を通って延び得る一方で横方向軸４４は、第１側縁部１３７ａの中点を通り、かつ第２側縁部１３７ｂの中点を通って延び得る。
【００４０】
様々な実施形態において、吸収性物品１０の一部又は全部が、横方向に伸展性であるように作製されてもよい。吸収性物品１０の伸展性は、着用者が動いているときに吸収性物品１０が着用者の身体に形状が一致するうえで望ましい場合がある。異なるサイズの着用者に追加的な身体被覆度を提供するため、すなわち、吸収性物品１０を個々の着用者に適合させるために、介護者が前側腰部領域３６、後側腰部領域３８、股部領域３７、及び／又はシャーシ１００を伸ばすことを可能にするためにも、伸展性は望ましくあり得る。このような伸展により、股部領域３７が腰部領域３６及び／又は３８よりも比較的低い度合いで伸展される限りにおいて、吸収性物品１０に概ね砂時計の形状がもたれされ得る。この伸展はまた、使用中、吸収性物品１０に適合された外観を付与し得る。
【００４１】
吸収性物品のいずれか又は全ての部分は、２０１４年１月２４日に出願された米国特許出願第６１／９３１，２２９号、題名「ＤＩＳＰＯＳＡＢＬＥ  ＡＢＳＯＲＢＥＮＴ  ＡＲＴＩＣＬＥＳ  ＣＯＭＰＲＩＳＩＮＧ  ＢＡＣＴＥＲＩＯＰＨＡＧＥＳ  ＡＮＤ  ＲＥＬＡＴＥＤ  ＭＥＴＨＯＤＳ」に記載されているバクテリオファージ組成物を含んでもよい。
【００４２】
トップシート
一実施形態において、図４ａ、図４ｂ、図１２及び図１９を参照すると、吸収性物品１０はトップシート８１を含み得る。トップシート８１は、柔軟であり、柔らかな感触であり、着用者の皮膚に刺激を与えないものであり得、かつ１つ以上の方向において、弾性的に伸縮性を有するものとすることができる。更に、トップシート８１は、液体透過性であって、その厚さを通して液体（例えば、経血、尿及び／又は液状の糞便）が浸透可能であり得る。様々なトップシートはまた、例えば、親水性材料を含んでもよく、これは体液を、これらの流体が身体から排出される際にシャーシ１００の吸収性コア内に引くように構成される。好適なトップシート８１は、広範な材料、例えば、織布及び不織布材料、有孔若しくはハイドロフォーミングされた熱可塑性フィルム、有孔不織布、多孔質フォーム、網目状フォーム、網目状熱可塑性フィルム、並びに／又は熱可塑性スクリムから製造され得る。好適な有孔フィルムは、米国特許第３，９２９，１３５号、同第４，３２４，２４６号、同第４，３４２，３１４号、同第４，４６３，０４５号、同第５，００６，３９４号、同第５，６２８，０９７号、同第５，９１６，６６１号、同第６，５４５，１９７号、及び同第６，１０７，５３９号に記載されているものを含むことができる。
【００４３】
有孔フィルム又は不織布トップシートは、典型的には、排泄物に対して透過性であるが、非吸収性であり、流体がトップシートを通って戻り着用者の皮膚を再度濡らす傾向を低減することができる。好適な織布及び不織布材料は、例えば、木質繊維若しくは綿繊維などの天然繊維、例えば、ポリエステル、ポリプロピレン若しくはポリエチレン繊維などの合成繊維、又はそれらの組み合わせを含み得る。トップシート８１が繊維を含む場合、当該技術分野において一般的に既知であるとおり、繊維は例えば、スパンボンド、カード、ウェットレイド、メルトブローン、水流交絡、ないしは別の方法で処理されてよい。
【００４４】
トップシートはスキンケアローションを含んでもよい。好適なローションの例としては、限定されるものではないが、米国特許第５，６０７，７６０号、同第５，６０９，５８７号、同第５，６３５，１９１号、同第５，６４３，５８８号、及び同第５，９６８，０２５号に記載されているもの、並びに米国特許出願第６１／３９１，３５３号に記載されているものが挙げられる。
【００４５】
一実施形態において、トップシートは、米国特許第７，１６３，５２８号に記載されているように深さの知覚を創り出すように、図形（例えば、図１５の１１６）を含んでもよい。
【００４６】
バックシート
一実施形態において、図４ａ、４ｂ、図１８及び図１９を参照すると、例えば、吸収性物品１０は、バックシート８３を含み得る。バックシート８３は、流体又は排泄物（例えば、経血、尿及び／又は液状の糞便）に対して不透過性、又は少なくとも部分的に不透過性であってもよく、薄いプラスチックフィルムから製造することができるが、他の可撓性の液体不透過性材料を使用してもよい。バックシート８３は、吸収性物品１０の吸収性コアに吸収され閉じ込められた排泄物又は流体が、吸収性物品１０に接触する物品（例えば、ベッドシーツ、パジャマ、衣類、及び／又は下着）を濡らすことを防ぎ得る。バックシート８３は、織布若しくは不織布材料、ポリマーフィルム、例えば、ポリエチレン若しくはポリプロピレンの熱可塑性フィルムなどのポリマーフィルム、並びに／又はフィルム及び不織布材料を含む多層若しくは複合材料（例えば、内側フィルム層及び外側不織布層を有する）を含んでもよい。好適なバックシートは、約０．０１２ｍｍ（０．５ミル）〜約０．０５１ｍｍ（２．０ミル）の厚さを有するポリエチレンフィルムを含み得る。ポリエチレンフィルムの例としては、Ｃｌｏｐａｙ  Ｃｏｒｐｏｒａｔｉｏｎ（Ｃｉｎｃｉｎｎａｔｉ，Ｏｈｉｏ）によって製品名ＢＲ−１２０及びＢＲ−１２１にて、並びにＴｒｅｄｅｇａｒ  Ｆｉｌｍ  Ｐｒｏｄｕｃｔｓ（Ｔｅｒｒｅ  Ｈａｕｔｅ，Ｉｎｄ）によって製品名ＸＰ−３９３８５にて製造されるものがある。
【００４７】
バックシートに好適な１つの材料は、約０．０１２ｍｍ（０．５０ミル）〜約０．０５１ｍｍ（２．０ミル）の厚さを有し、例えばポリエチレン又はポリプロピレンを含む、液体不透過性熱可塑性フィルムであり得る。通常、バックシートは、約５ｇ／ｍ２〜約３５ｇ／ｍ２の坪量を有することができる。バックシートは、一般的には、吸収性コアの外側表面に隣接して位置付けられ、吸収性コアの外側表面に接合することが可能である。例えば、バックシートは、接着剤の均一な連続層、接着剤のパターン層、又は接着剤の別個の線、螺旋、若しくは点の配列によって、吸収性コアに固着されてもよい。例示的であるが非限定的な接着剤としては、Ｈ．Ｂ．Ｆｕｌｌｅｒ  Ｃｏｍｐａｎｙ（Ｓｔ．Ｐａｕｌ，Ｍｉｎｎ．，Ｕ．Ｓ．Ａ．）によって製造され、ＨＬ−１３５８Ｊとして市販されている接着剤が挙げられる。接着剤のフィラメントのオープンパターンネットワークを含む好適な取り付けデバイスの例は、米国特許第４，５７３，９８６号に開示されている。螺旋模様に渦を巻く接着剤フィラメントのいくつかの線を含む別の好適な取り付け装置は、米国特許第３，９１１，１７３号、同第４，７８５，９９６号、及び同第４，８４２，６６６号に示される装置及び方法により例示されている。あるいは、取り付けデバイスは、熱結合、圧力結合、超音波結合、動的機械的結合若しくはその他の任意の好適な取り付けデバイス、又はこれらの取り付けデバイスの組み合わせを含んでもよい。
【００４８】
一実施形態において、バックシート８３は、より布様の外観を提供するために、エンボス加工及び／又はつや消し仕上げされてもよい。更に、バックシート８３は、吸収性物品１０の吸収性コアから蒸気を逃す（すなわち、バックシート８３は通気性である）一方で、なおも流体又は排泄物がバックシート８３を通過することを防ぐか、又は少なくとも阻止することができる。一実施形態において、バックシート８３のサイズは、例えば、吸収性物品１０の大きさ、及び形成される吸収性物品１０の設計又は構成によって決定され得る。
【００４９】
吸収性コア
様々な実施形態において、図４ａ、図４ｂ、図１８及び図１９を参照すると、吸収性物品１０は、トップシート８１とバックシート８３との間に配置された吸収性コア（「吸収性部材」又は「吸収性アセンブリ」又は「吸収性構造体」又は「吸収性複合体」とも呼ばれる）２００を含み得る。吸収性コア２００は、前側腰部領域３６において横方向に延びる前縁部２３６、長手方向の反対側で後側腰部領域３８において横方向に延びる後縁部２３８、第１の長手方向に延びる側縁部２３７ａ、及び横方向の反対側で第２の長手方向に延びる側縁部２３７ｂを含み得る。側縁部２３７の両方は、前縁部２３６と後縁部２３８との間で長手方向に延び得る。一実施形態において、例えば、複数の吸収性コア２００、又は複数の吸収性コア層が、吸収性物品１０に設けられ得る。吸収性コア２００は、吸収性物品１０と適合可能な任意の好適な大きさ又は形状であり得る。広く受け入れられ、商業的に成功した、本開示の吸収性コア２００として使用される代表的な吸収性構造体が、米国特許第４，６１０，６７８号、同第４，６７３，４０２号、同第４，８８８，２３１号及び同第４，８３４，７３５号に記載されている。
【００５０】
一実施形態において、好適な吸収性コアは、セルロース系エアフェルト材料を含み得る。例えば、このような吸収性コアは、約４０重量％、３０重量％、２０重量％、１０重量％、５重量％又は更に１重量％未満のセルロース系エアフェルト材料を含み得る。更に、このような吸収性コアは主に、少なくとも６０重量％、７０重量％、８０重量％、８５重量％、９０重量％、９５重量％又は更には約１００重量％の量の吸収性ゲル化材料で構成され得る。更に、吸収性コアの一部は、マイクロファイバー接着剤を含んでもよい（適用可能である場合）。そのような吸収性コア、マイクロファイバー接着剤、及び吸収性ゲル化材料は、米国特許第５，５９９，３３５号、同第５，５６２，６４６号、同第５，６６９，８９４号、同第６，７９０，７９８号、及び同第７，５２１，５８７号、並びに米国特許公開第２００４／０１５８２１２号に記載されている。
【００５１】
一実施形態では、コアシステムを構成する複数の層を含むコアは、米国特許第８，５３６，４０１号に記載されているように印刷及びエンボス加工されてもよい。
【００５２】
一実施形態において、コアは、米国特許第６，９８９，００６号、同第７，３８１，２０２号、同第７，１７５，６１３号、同第７，８２４，３８６号、同第７，７６６，８８７号、及び同第６，９８９，００５号に開示されているように、シャーシから分離可能であってもよい。そのような実施形態では、本開示に記載されている測定は、シャーシのみに対して行われてもよく、又はシャーシと分離可能なコア／吸収性アセンブリとの組み合わせに対して行われてもよい。
【００５３】
一実施形態では、本開示の吸収性物品、特に、吸収性部材が配置されている部分は、米国特許第６，６４９，８１０号により、３ｇ／秒を超える体液吸収速度を有してもよい。米国特許第６，６４９，８１０号によると、「吸収性部材が配置されている（吸収性物品の）部分」という表現は、吸収性物品が平らに広げられてその平面図で見たときに、吸収性部材によって占められている部分を意味することが意図される。
【００５４】
一実施形態では、吸収性構造体は、米国特許第７，０７３，３７３号により、３を超える吸収係数を有してもよく、この吸収係数は、吸収性コアの透過性を、正規化された保持容量（これは、保持容量試験によって、また米国特許第７，０７３、３７３号によって規定される）で割ったものと定義される。
【００５５】
一実施形態では、吸収性複合体は、米国特許第６，６４９，８１０号により、７５ｇ／１００ｃｍ２を超える体液吸収性を有する。
【００５６】
一実施形態では、吸収性物品の対象位置は、米国特許第６，３８３，９６０号により、３６％を超える吸上値を有し得る。
【００５７】
一実施形態において、吸収性物品は、米国特許第５，８１０，７９６号により、０．０５〜１．０ｇｆの曲げ剛性を有し得る。
【００５８】
一実施形態では、吸収性物品は、米国特許第６，６４９，８１０号により、３ｇ／秒を超える股部流体吸収速度を有し得る。一実施形態では、吸収性複合体の凍結乾燥複合体は、米国特許第６，６８９，９３４号により、８０％複合体飽和時に少なくとも約１．９立方センチメートル（ｃｃ）の液体／秒の吸水率を有し得る。
【００５９】
レッグカフ
一実施形態において、図１３及び図１４を参照すると、吸収性物品１０のシャーシ１００は、長手方向に延びかつ横方向に対向するレッグカフ１４７ａ及び１４７ｂを含んでもよく、これらは、着用者の方へと内側に向かいかつ着用者と接触するシャーシ１００の内面上に配置される。レッグカフ１４７ａ及び１４７ｂは、レッグカフ１４７の一方又は両方の近位縁部に又はこれに隣接して配置される、１つ以上の弾性ギャザー部材を含んでいてもよい。加えて、レッグカフの弾性ギャザー部材はまた、レッグカフ１４７の一方又は両方の遠位縁部に又はこれに隣接して配置される１つ以上の弾性ストランド１４６を含んでいてもよい。弾性化レッグカフ１４７は、脚部領域における排泄物又は流体の漏れを低減するためのいくつかの実施形態を含み得る。弾性化レッグカフ１４７は、レッグバンド、バリアカフ、弾性カフ、又はガスケッティングカフと呼ばれることがある。好適な弾性化レッグカフ１４７は、米国特許第３，８６０，００３号、同第４，９０９，８０３号、同第４，６９５，２７８号、同第４，７９５，４５４号、同第４，７０４，１１５号、及び同第４，９０９，８０３号、並びに米国特許出願公開第２００９／０３１２７３０号に記載されるものを含み得る。レッグカフ１４７は、シャーシ１００の一部を横方向に内側に、すなわち、長手方向軸４２に向かって折り畳むことにより形成されて、それぞれのレッグカフ１４７並びにシャーシ１００の側縁部１３７ａ及びｂを形成することができる。他の実施形態において、レッグカフ１４７は、追加的な層を、シャーシ１００に、シャーシ１００の対応する側縁部１３７ａ及び１３７ｂのそれぞれにおいて、又はこれらに隣接するようにして取り付けることによって形成されてもよい。一実施形態において、シャーシ１００はまた、側縁部１３７に隣接して配置される他の弾性体を含んでもよく、この弾性体は、弛緩させて、それによって前側腰部領域３６の内面１０２を後側腰部領域３８の内面１０２に向けて引っ張るときに、物品１０が「Ｕ」字型の形状を形成するようにすることができる。
【００６０】
一実施形態において、各レッグカフ１４７は、近位縁部１５７ａ及び１５７ｂを含み得る。これらの縁部１５７ａ及び１５７ｂは、遠位縁部１３９ａ及び１３９ｂと比較して、長手方向軸４２の近くに位置付けられる。レッグカフ１４７は、吸収性コア２００と重なっていてもよく、すなわち、近位縁部１５７ａ及び１５７ｂは、吸収性コア２００のそれぞれの側縁部２３７ａ及び２３７ｂの横方向内側に位置する。このような重なり合った構成は、重なり合わない構成で付与される外観よりも完成品に近い外観を吸収性物品１０に付与するために望ましくあり得る。他の実施形態において、レッグカフ１４７は、吸収性コア２００と重なっていなくてもよい。
【００６１】
一実施形態において、各レッグカフ１４７は、前側腰部端縁部１３６に隣接したレッグカフ取り付け区域（図示せず）で、かつ後側腰部端縁部１３８に隣接した、長手方向に対向するレッグカフ取り付け区域（図示せず）で、シャーシ１００の内面１０２に取り付けることができる。一実施形態において、レッグカフ取り付け区域の間においては、レッグカフ１４７の近位縁部１５７は自由のままである（すなわち、シャーシ１００の内面１０２又は吸収性コア２００に取り付けられていない）。また、長手方向に対向するレッグカフ取り付け区域の間において、各レッグカフ１４７は、１つ以上の（特に、１つのレッグカフ１４７につき１つ、２つ、３つ又は４つの弾性ストランドを含む）長手方向に伸縮性のカフ弾性ギャザー部材１５９を含んでもよく、これらは、任意の好適な方法により、レッグカフ１４７の近位縁部１５７に、又はこれと隣接するように配置され得る。このようなカフ弾性ギャザー部材１５９それぞれが、レッグカフの全長にわたって、又はレッグカフの長さの一部のみにわたって取り付けられてよい。例えば、このようなカフ弾性ギャザー部材１５９は、レッグカフの長手方向に対向する端部において、又はその付近で取り付けられてよく、かつレッグカフ長さの中央において取り付けられていなくてよい。そのようなカフ弾性ギャザー部材１５９は、股部領域３７に配置されてもよく、また前側腰部領域３６及び後側腰部領域３８の一方又は両方の中にまで延在してもよい。例えば、弾性ギャザー部材１５９は、レッグカフ１４７のそれぞれの近位縁部１５７で、又はこれに近接するように取り付けられてよく、前側腰部領域３６及び後側腰部領域３８の両方の中にまで延在する。
【００６２】
様々な実施形態において、各カフ弾性ギャザー部材１５９は、例えば、折り畳まれたヘムの内部に包囲され得る。様々な実施形態において、カフ弾性ギャザー部材１５９は、レッグカフ１４７を形成する２つの層の間に、シャーシ１００の２つの層によって挟まれてよく、又はシャーシ１００若しくはレッグカフ１４７の表面上に取り付けられ、露出されたままであってもよい。
【００６３】
一実施形態において、各レッグカフの近位縁部１５７に隣接して配設されたカフ弾性ギャザー部材１５９は、伸張されると、レッグカフ近位縁部１５７が、シャーシ１００の平坦な非収縮長さ（例えば、シャーシ１００の長さ）まで延びることを可能にする。弛緩させたとき、カフ弾性ギャザー部材１５９は収縮して前側腰部領域３６及び後側腰部領域３８を互いに向かって引っ張り、それによって物品１０を「Ｕ」字型に曲げ、ここで「Ｕ」字型の内側は、着用者の身体に向けて配置されるように意図される物品１０の部分（すなわち、内面１０２）によって形成され得る。近位縁部１５７のそれぞれは、長手方向に配向されるレッグカフ取り付け区域の間において自由なままであるため、弾性ギャザー部材１５９の収縮力は、レッグカフ１４７の近位縁部１５７を、シャーシ１００の内面１０２から離すようにして持ち上げることができる。物品１０が弛緩状態であるとき、近位縁部１５７がこのように持ち上がると、レッグカフ１４７は、排泄物の漏れを防止する、又は少なくとも阻止するサイドバリアとして機能する位置に持ち上がる。
【００６４】
ウエストバンド
一実施形態において、図１４を参照すると、物品１０は、弾性化ウエストバンド１１２ａ及びｂを含んでもよい。弾性化ウエストバンドは、改善されたフィット感及び収容性を提供することができ、また、弾性的に拡張し、横方向に収縮して着用者の腰部に動的にフィットするように構成されてもよい。弾性化ウエストバンドは、吸収性物品１０の腰部縁部から吸収性コア２００の腰部縁部に向かって、長手方向外側に延在し得る。一実施形態において、吸収性物品１０は、１つが後側腰部領域３８内に位置付けられ、もう１つが前側腰部領域３６内に位置付けられた２つの弾性化ウエストバンドを有してもよいが、他のパンツ実施形態は、単一の弾性化したウエストバンド８２で構成されてもよい。弾性化ウエストバンドは、米国特許第４，５１５，５９５号及び同第５，１５１，０９２号に記載されるものを含む、多くの異なる構成で構築されてもよい。
【００６５】
一実施形態では、弾性化ウエストバンドは、「予め歪ませた」又は「機械的に予め歪ませた」（すなわち、材料を恒久的に伸長させるため、ある程度の局所的パターンで機械的に伸長された）材料を含んでもよい。材料は、好適なディープエンボス加工技術を使用して予め歪ませてもよい。他の実施形態では、材料は、米国特許第５，３３０，４５８号に記載される漸増機械的伸張システムによって材料を方向付けることによって予め歪ませてもよい。材料は、その後、それらの実質的に張力がない状態まで復帰させてもよく、したがって、少なくとも最初の伸張点まで伸展可能である、ゼロ歪みの伸張材料が形成される。ゼロ歪み材料の例は、米国特許第２，０７５，１８９号、同第３，０２５，１９９号、同第４，１０７，３６４号、同第４，２０９，５６３号、同第４，８３４，７４１号、及び同第５，１５１，０９２号に開示されている。
【００６６】
フラップ
フラップ１８９（ａ〜ｄ）は、シャーシ１００と別個であってもよいし、又はシャーシ１００と一体化していてもよい。別個のフラップは、シャーシ１００に結合される別個の要素として形成される。いくつかの実施形態において、別個の要素としては、前側腰部領域３６及び／又は後側腰部領域３８でシャーシの側縁部１３７ａ及びｂに接合されている複数のフラップ（例えば、２つ又は４つ）（多くの場合、耳パネル又はサイドフラップと呼ばれる）が挙げられる（図１及び図１２〜図１７参照）。他の実施形態において、別個の要素としては、シャーシ１００の前側及び後側（又は後部）腰部領域にわたって、少なくともシャーシ１３６及び１３８の端縁部にわたって接合されている、前側及び／又は後側ベルト状フラップ（「ベルト」）を挙げることができる（図４ａ、図４ｂ、図１２及び図１９参照）。いくつかの実施形態において、ウエストバンド１１２はフラップと重なり合って、連続したベルト状構造体を形成することができる（図１４参照）。
【００６７】
ベルト状フラップは、内側不織布層及び外側不織布層、並びにそれらの間に弾性体を含んでもよい。内側不織布層と外側不織布層とは、接着剤又は熱可塑性結合剤を使用して結合されてもよい。様々な好適なベルト状フラップ構成は、米国特許出願公開第２０１３−０２１１３６３号に見出すことができる。図１１は、別個である前側及び後側腰部領域内のベルトフラップを示し、前側ベルトフラップと後側ベルトフラップとの間に比較的小さい距離を有することにより、シャーシの小さい部分のみがベルトよりも下側に垂れ下がる（図７を参照）。
【００６８】
一体化されたフラップは、長手方向縁部から横方向外側に突出するシャーシの一部（１つ以上の層）である。一体化されたフラップは、フラップの突起部の形状を含むように、シャーシを切断することによって形成されてもよい。
【００６９】
このベルト状フラップを有する適用例で説明した実施形態の多くはパンツ型物品であるが、テープ型物品も同様に一方又は両方の腰部領域に配置されたベルト状フラップを有することができる。
【００７０】
フラップの構造は、吸収性物品の機能性において重要な役割を果たし、下着に使用される弾性体とは根本的に異なる。前述したように、ＳＵＩ及びＵＵＩなどの失禁事象は、高流量及び／又は充満した膀胱からの放出をもたらし得る。失禁事象中に排出される尿の量は、尿失禁の種類、並びに最後にトイレに行ってからの時間、摂取した流体の量、日中又は夜間等といった他の状況によって大きく異なる。充填量は、数滴の尿から６００ｍＬまで様々であり得る。１回の充填量が３００、４００、及び更には５００ｍＬに達することも珍しくはない。これらの充填量レベルは、１ポンド以上になり得る充填量に付随して、かなり大きな下方向への力を与える。この下方向への力は、弛み、空所化、及び漏れを最小限にするために、吸収性物品シャーシによって相殺されなければならない。充填後にも物品のフィット感を維持するために、物品は、物品のサイドシーム２８０ａ及びｂに近接して、かつこれらに沿って配設され（例えば、図１５を参照し、図中、エラストマー要素１４６は、シーム２８０ａ及びｂの近くで、かつシーム２８０ａ及びｂの長さに沿って終端している）、片側から他側に向かって横方向に延在する、フィルム（有孔フィルムなど）及び／又はストランド）などのエラストマー要素（１つ又は複数）１４６を含む。エラストマー要素１４６のそれぞれは、エラストマー要素１４６の１つ以上が吸収性コア２００と重なり合うように、前側及び後側ベルト内のサイドシーム２８０ａからサイドシーム２８０ｂまで、ベルト腰部縁部１３６、１３８から反対側のベルト端縁部までの長手方向距離に沿って、連続的に延在してもよい（図４ａ、図４ｂ、図１２，及び図１５に示されるように切断されるのに対して）。３つ以上の弾性要素１４６が、前側腰部領域３６及び／又は後側腰部領域３８内のコアと重なり合うことが望ましい場合がある。これらのエラストマー要素（１つ又は複数）は、物品を固定するのに十分な垂直力を、身体に対して生じさせなければならない。エラストマー要素（１つ又は複数）の位置、並びにエラストマー要素（１つ又は複数）によって加えられる力は、臀部の位置で、また身体に沿って適切に固定するのを確実にするように（具体的には前部腰部領域にわたって、後部腰部領域内で）変化させることができる。充填された物品のフィットを維持するのに役に立つ固定の一形態は、１９９４年１０月２５日にＬａＶｏｎらに発行された米国特許第５，３５８，５００号、「Ａｂｓｏｒｂｅｎｔ  Ａｒｔｉｃｌｅｓ  Ｐｒｏｖｉｄｉｎｇ  Ｓｕｓｔａｉｎｅｄ  Ｄｙｎａｍｉｃ  Ｆｉｔ」に開示されている。腰縁部及び脚縁部に沿って弾性体を有する通常の下着は、通常は、３００〜６００グラムの重量が下着の股部領域に加えられたときに下着のフィットを維持するのに十分なだけの支持を提供しないことにも留意されたい。
【００７１】
図１１に示すように、フラップは脚部開口部に沿って成形されてもよい。
【００７２】
締結システム
吸収性物品はまた、締結システムを含んでもよい。締結時、締結システムは、前側腰部領域３６と後側腰部領域３８とを相互に接続し、吸収性物品１０の着用時に、着用者を取り囲むことができる腰部の外周となる。これは、後側腰部領域のフラップ１８９ａ及びｂが前側腰部領域のフラップ１８９ｃ及びｄと相互接続することにより、又は後側腰部領域のフラップが前側腰部領域のシャーシ１００と相互接続することにより、達成され得る。締結システムは、例えば、テープタブ、フック・ループ式締結要素、タブ及びスロットのような噛合締結具、バックル、ボタン、スナップ、並びに／又は雌雄同体締結要素等の締結具５３ａ及びｂを含むことができるが、その他の既知の任意の締結手段も、一般に許容可能である。締結具は、織布であっても不織布であってもよいランディング区域１１８と取り外し可能に係合し得る。いくつかの例示的な表面締着システムは、米国特許第３，８４８，５９４号、同第４，６６２，８７５号、同第４，８４６，８１５号、同第４，８９４，０６０号、同第４，９４６，５２７号、同第５，１５１，０９２号、及び同第５，２２１，２７４号に開示されている。例示的な相互係合締着システムは、米国特許第６，４３２，０９８号に開示されている。締結システムはまた、米国特許第４，９６３，１４０号に開示されているように、使い捨て構成において物品を保持するための手段を提供してもよい。締結システムはまた、米国特許第４，６９９，６２２号に開示されているように、一次及び二次締結システムを含んでもよい。締結システムは、米国特許第５，２４２，４３６号、同第５，４９９，９７８号、同第５，５０７，７３６号及び同第５，５９１，１５２号に開示されているように、重なり合っている部分のずれを低減するか、又はフィット感を改善するように構成されてもよい。
【００７３】
同一又は実質的に同一のシャーシ
米国特許出願公開第２０１３−０２１１３５５号に開示されているように、異なるサイズの着用者にフィットするが、同一又は実質的に同一のシャーシを含む、パッケージの群を提供することが望ましくあり得る。例えば、ある群は、第１のサイズの吸収性物品を含む第１のパッケージを含み得、第２のパッケージは、第２のサイズの吸収性物品を含み得、第１のパッケージ及び第２のパッケージは、米国特許出願公開第２０１３−０２１１３５５号に記載されているように同一の又は実質的に同一のシャーシを含む。より具体的には、第１のパッケージは第１のシャーシを含み得、第２のパッケージは第２のシャーシを含み得、第１のシャーシ及び第２のシャーシのそれぞれは、横方向中心線でのコア幅、前側又は後側コア末端部の一方でのコア幅、左外側カフの遠位縁部から右外側カフの遠位縁部までの距離、左内側カフの遠位縁部から左外側カフの遠位縁部までの距離、左内側カフの近位縁部から右内側カフの近位縁部までの距離、左内側カフの近位縁部から左外側カフの遠位縁部までの距離、内側カフの自由高さ、内側カフのヘム折り畳み幅、内側カフの弾性体長さ、外側カフの弾性体長さ、コア長さ、及びバックシート幅のうちの１つ以上の同一の寸法を含む。
【００７４】
更に、第１のシャーシ及び第２のシャーシのそれぞれは、トップシート、バックシートフィルム、バックシート不織布、コア超吸収性ポリマー、コアパルプ、コア不織布、コアティッシュ、レッグカフフィルム、レッグカフ不織布、超吸収性ポリマー接着剤、コア不織布接着剤、レッグカフ弾性体接着剤、及びバックシート不織布／フィルム接着剤のうちの１つ以上の同一の化学組成を含んでもよい。
【００７５】
また、第１のシャーシ及び第２のシャーシのそれぞれは、トップシート、バックシートフィルム、バックシート不織布、コア超吸収性ポリマー、コアパルプ、レッグカフ不織布、レッグカフフィルム、超吸収性ポリマー接着剤、レッグカフ接着剤、及びバックシート不織布／フィルム接着剤のうちの１つ以上の同一の坪量を含んでもよい。
【００７６】
また、第１のシャーシ及び第２のシャーシのそれぞれは、組成的に同一のコアの超吸収性ポリマーを含んでもよい。第１のシャーシ及び第２のシャーシは、前側腰部領域、後側腰部領域、及び股部領域のうちの少なくとも１つにおいて、同じ構成要素の断面順序及び配置を有してもよい。第１のシャーシ及び第２のシャーシの内側レッグカフは、組成的に同じ材料で構成することができる。
【００７７】
また、第１のシャーシ及び第２のシャーシのコア接着剤は、同じ接着剤（１つ又は複数）であってもよい。第１のシャーシ及び第２のシャーシは、同じ化学クラス及びサブクラス内のコア超吸収性ポリマーを含んでもよい。
【００７８】
また、第１のシャーシ及び第２のシャーシのそれぞれは、第１の濡れインジケータ及び第２の濡れインジケータをそれぞれ含んでもよく、その場合、第１の濡れインジケータと第２の濡れインジケータとは組成的に同じである。
【００７９】
更に、第１のシャーシ及び第２のシャーシの内側レッグカフは、前側腰部領域、後側腰部領域、及び股部領域のうちの少なくとも１つにおいて同じ構成要素の断面順序及び配置を有してもよい。左外側カフの遠位縁部から右外側カフの遠位縁部までの距離は同じであってもよい。左内側カフの近位縁部から左外側カフの遠位縁部までの距離は同じであってもよい。左内側カフの近位縁部から右内側カフの近位縁部までの距離は同じである。内側及び外側カフの長さは、同じである。
【００８０】
いくつかの実施形態では、フラップ又はベルトを使用して吸収性物品を異なるサイズの着用者にフィットさせることができるため、群内に提供される異なるサイズは、同一又は実質的に同一のシャーシを有し得る。例えば、第１の吸収性物品及び第２の吸収性物品は、（組成的に、寸法的に、断面的に）同一のシャーシを有することができるが、第１の物品は第２の物品よりも小さな着用者にフィットすることを目標とすることができるように、第１の物品は、ベルトの配置によって異なる長さを有してもよい。第２の例として、第１の吸収性物品及び第２の吸収性物品は、（組成的に、寸法的に、断面的に）同一のシャーシを有することができるが、第１の物品は第２の物品よりも小さな着用者にフィットすることを目的とすることができるように、第１の物品は、ベルトのサイズによって異なる長さ及び／又は幅を有してもよい。
【００８１】
いくつかの実施形態では、第１の吸収性物品及び第２の吸収性物品は、組成的に同一であるが、寸法的に及び断面的に異なるシャーシを有してもよい。いくつかの実施形態では、第１の吸収性物品及び第２の吸収性物品は、寸法的に同一であるが、組成的に及び断面的に異なるシャーシを有してもよい。いくつかの実施形態では、第１の吸収性物品及び第２の吸収性物品は、断面的に同一であるが、寸法的に及び組成的に異なるシャーシを有してもよい。更に他の実施形態では、第１の吸収性物品及び第２の吸収性物品は、（１）組成的、（２）寸法的、及び（３）断面的のうちの２つにおいて同一であるが、３つとも同一ではないシャーシを有してもよい。
【００８２】
【表１−１】
2020525085.tif 000003
【００８３】
【表１−２】
2020525085.tif 000004
【００８４】
【表２】
2020525085.tif 000005
【００８５】
【表３】
2020525085.tif 000006
【００８６】
より体形に近い製品形状を提供するために、製品長さ対腰部シルエットを本体長さ対腰部シルエットに関連付けることが望ましい場合がある。表１ａ及び１ｂは、今日の市販製品群の一部を詳細に示す。図９は、これらの群の製品長さ対腰部シルエットと本体長さ対腰部シルエットとの比較を示す。今日の製品群の製品長さ対腰部シルエットは、本体長さ対腰部シルエットに一致していないことが分かる。より体形に近い製品形状を提供するために、製品長さ対臀部シルエットを本体長さ対臀部シルエットに関連付けることが望ましい場合がある。表１ａ及び１ｂは、今日の市販製品群の一部を詳細に示す。図２５は、これらの群の製品長さ対臀部シルエットと本体長さ対臀部シルエットとの比較を示す。今日の製品群の製品長さ対臀部シルエットは、本体長さ対臀部シルエットに一致していないことが分かる。
【００８７】
表２は、２、３、及び４個のパッケージのいくつかの本発明の群を示し、その製品長さ対腰部シルエットは、本体長さ対腰部シルエットに近く、より良好にフィットする製品を提供する。これらの本発明の群は、単に非限定的な例として示したものである。その他の本発明の群が、本開示の範囲内において可能である。これらの本発明の群は図１０にも示されている。表２はまた、２、３、及び４個のパッケージのいくつかの本発明群を示し、その製品長さ対臀部シルエットは、本体長さ対臀部シルエットに近く、より良好にフィットする製品を提供する。これらの本発明の群は、単に非限定的な例として示したものである。その他の本発明の群が、本開示の範囲内において可能である。これらの本発明の長さ対臀部シルエットは、図２６にも示されている。
【００８８】
約０．５〜約０．８５、又は約０．５〜約０．８、又は約０．５〜約０．７５、又は約０．５〜約０．７、又は約０．５５〜約０．７、又は約０．６〜約０．７５の製品長さ対臀部シルエット値、及び約０．５〜約０．９、又は約０．５〜約０．８５、又は約０．５５〜約０．８５、又は約０．５５〜約０．８、又は約０．６〜約０．８５の製品長さ対腰部シルエットを有する吸収性物品を有することが望ましくあり得る。
【００８９】
約０．５、約０．５５、約０．６、又は約０．６５〜約０．７、約０．７５、又は約０．８５、及びこれらの任意の組み合わせの製品長さ対臀部シルエット値を有する吸収性物品を有することが望ましくあり得る。約０．５、約０．５５、約０．６、又は約０．６５〜約０．７５、約０．８、又は約０．９、及びこれらの任意の組合せの製品長さ対腰部シルエット値を有する吸収性物品を有することが望ましくあり得る。
【００９０】
弛緩製品長さの約４５％、約４０％、約３５％、約３０％、又は約２５％未満の弛緩製品側部長さを有する吸収性物品を有することが望ましくあり得る。
【００９１】
弛緩製品長さの約６５％、約７０％、約７５％、約８０％、約８５％、約９０％、又は約９５％超、かつ約１００％、約１５０％、約１２５％、約１７５％、又は約２００％未満の弛緩製品側部長さを有する吸収性物品を有することが望ましくあり得る。
【００９２】
２つ以上の吸収性物品を含む群の中の吸収性物品であって、群の中の１つ以上の吸収性物品が、約０．５〜約０．８５、又は約０．５〜約０．８、又は約０．５〜約０．７５、又は約０．５〜約０．７、又は約０．５５〜約０．７、又は約０．６〜約０．７５の製品長さ対臀部シルエット値、及び約０．５〜約０．９、又は約０．５〜約０．８５、又は約０．５５〜約０．８５、又は約０．５５〜約０．８、又は約０．６〜約０．８５の製品長さ対腰部シルエットを有する、吸収性物品を有することが望ましくあり得る。更に、約０．５〜約０．８５、又は約０．５〜約０．８、又は約０．５〜約０．７５、又は約０．５〜約０．７、又は約０．５５〜約０．７、又は約０．６〜約０．７５の群平均の製品長さ対臀部シルエット値、及び約０．５〜約０．９、又は約０．５〜約０．８５、又は約０．５５〜約０．８５、又は約０．５５〜約０．８、又は約０．６〜約０．８５の群平均の製品長さ対腰部シルエットを有する吸収性物品を有することが望ましくあり得る。
【００９３】
２つ以上の吸収性物品を含む群の中の吸収性物品であって、群の中の１つ以上の吸収性物品が、弛緩製品長さの約４５％、約４０％、約３５％、約３０％、又は約２５％未満の弛緩製品側部長さを有する、吸収性物品を有することが望ましくあり得る。
【００９４】
２つ以上の吸収性物品を含む群の中の吸収性物品であって、群の中の１つ以上の吸収性物品が、弛緩製品長さの約６５％、約７０％、約７５％、約８０％、約８５％、約９０％、又は約９５％超、かつ１００％未満の弛緩製品側部長さを有する、吸収性物品を有することが望ましくあり得る。
【００９５】
試験方法
製品測定の準備
測定は全て、２２℃＋／−２°及び５０％＋／−２０％  ＲＨで行う。
【００９６】
目的
この方法は、その後の寸法測定に向けてパンツ型製品を準備するために使用される。この方法は、袋から取り出された製品を開封する一貫した手段を提供する。この方法は、全ての形態のパンツ製品に適用可能である。コンピュータインターフェースを有する、定速伸展の引張試験機が使用される。
【００９７】
ロードセルは、ロードセル容量が５Ｎの負荷の正確度を０．１Ｎ以内で保証するように選択される。
【００９８】
試験片ホルダー装置
最も長いサイドシームの長さよりも長く延びている、各々９．５０ｍｍのロッド半径を有する、「Ｃ」形（３０４）バー取り付け具及び「Ｏ」形（３０５）バー取り付け具。図２０を参照のこと。これらのバーは、それらの長手方向軸線が同じ垂直平面内にありかつ上側バーが下側バーの真上に装着されるようにして、引張試験機内に水平に装着される。
【００９９】
機器設定
計器製造業者の推奨に従って引張試験機機器を較正する。
【０１００】
初期ゲージ長は、袋から１０個のサンプル製品を取り出し、パンツ製品（３０７）を広げ、下記図２１で示すようにそれらを平らに置き、示されるようにパンツの腰部における側部同士の間の距離（３０６）を測定することによって決定される。腰部測定値の平均を、試料の特定のセットの初期ゲージ長として使用することになる。初期ゲージ長は、上側バーの最上縁部から下側バーの最下縁部までの距離である。
【０１０１】
試料の操作を最小限にしながら、図２２に示すように、製品（３０７）全体をバーに適用する。
【０１０２】
試料を５Ｎの力で引っ張り、次いで１０秒間保持する。初期ゲージ長に戻る。
【０１０３】
クロスヘッド速度＝２５４．０ｍｍ／分、データ取得速度＝５０Ｈｚ。
【０１０４】
周期＝１
【０１０５】
操作を最小限にしながら、試料をバーから取り外す。図６に示すように、前面が上を向くようにして試料を平らに置く。
【０１０６】
１０個の試料全てについて繰り返す
【０１０７】
物理的測定
１０個の別々の同様の試料に対して以下の測定の各々を行い、これら１０個の別々の同様の試料の平均をその特定の試料セットの測定値と見なす。
【０１０８】
弛緩製品長さ（３００）
弛緩製品長さは、股部領域内の長手方向において最も遠位の点と、前側腰部縁部に沿った長手方向において最も遠位の点との間の、長手方向距離である。長手方向距離は、製品の長手方向軸線と平行に測定される。図６及び図７を参照のこと。
【０１０９】
弛緩製品臀部幅（３０１）
弛緩製品臀部幅は、左脚部開口部の上側縁部における、製品の左側縁部の横方向において最も遠位の点から、右脚部開口部の上側縁部における、製品の右側縁部の横方向において最も遠位の点までの、横方向距離である。図６及び図７を参照のこと。横方向距離は、製品の長手方向軸線に対して垂直に測定される。
【０１１０】
弛緩製品腰部幅（３０２）
弛緩製品腰部幅は、前側腰部縁部の右側の最も遠位の点から前側腰部縁部の左側の最も遠位の点までの、横方向距離である。横方向距離は、製品の長手方向軸線に対して垂直に測定される。図６及び図７を参照のこと。
【０１１１】
弛緩製品側部長さ（３０３）
弛緩製品側部長さは、製品の腰部縁部と側縁部との交点から、製品の脚部開口部の頂部と同じ側縁部との交点までの直線距離である。弛緩製品側部長さの測定値は、製品の左側部及び右側部の測定値の平均である。図６及び図７を参照のこと。
【０１１２】
上記の測定値のそれぞれを±１．０ｍｍ以内で記録する。
【図１】
2020525085.tif 000007
【図２】
2020525085.tif 000008
【図３】
2020525085.tif 000009
【図４ａ】
2020525085.tif 000010
【図４ｂ】
2020525085.tif 000011
【図５】
2020525085.tif 000012
【図６】
2020525085.tif 000013
【図７】
2020525085.tif 000014
【図８】
2020525085.tif 000015
【図９】
2020525085.tif 000016
【図１０】
2020525085.tif 000017
【図１１】
2020525085.tif 000018
【図１２】
2020525085.tif 000019
【図１３】
2020525085.tif 000020
【図１４】
2020525085.tif 000021
【図１５】
2020525085.tif 000022
【図１６】
2020525085.tif 000023
【図１７】
2020525085.tif 000024
【図１８】
2020525085.tif 000025
【図１９】
2020525085.tif 000026
【図２０】
2020525085.tif 000027
【図２１】
2020525085.tif 000028
【図２２】
2020525085.tif 000029
【図２３】
2020525085.tif 000030
【図２４】
2020525085.tif 000031
【図２５】
2020525085.tif 000032
【図２６】
2020525085.tif 000033
【手続補正書】
【提出日】令和1年12月24日(2019.12.24)
【手続補正１】
【補正対象書類名】図面
【補正対象項目名】全図
【補正方法】変更
【補正の内容】
【図１】
2020525085.tif 000034
【図２】
2020525085.tif 000035
【図３】
2020525085.tif 000036
【図４ａ】
2020525085.tif 000037
【図４ｂ】
2020525085.tif 000038
【図５】
2020525085.tif 000039
【図６】
2020525085.tif 000040
【図７】
2020525085.tif 000041
【図８】
2020525085.tif 000042
【図９】
2020525085.tif 000043
【図１０】
2020525085.tif 000044
【図１１】
2020525085.tif 000045
【図１２】
2020525085.tif 000046
【図１３】
2020525085.tif 000047
【図１４】
2020525085.tif 000048
【図１５】
2020525085.tif 000049
【図１６】
2020525085.tif 000050
【図１７】
2020525085.tif 000051
【図１８】
2020525085.tif 000052
【図１９】
2020525085.tif 000053
【図２０】
2020525085.tif 000054
【図２１】
2020525085.tif 000055
【図２２】
2020525085.tif 000056
【図２３】
2020525085.tif 000057
【図２４】
2020525085.tif 000058
【図２５】
2020525085.tif 000059
【図２６】
2020525085.tif 000060
【国際調査報告】
2020525085.tif 000061
2020525085.tif 000062
2020525085.tif 000063